(57)【要約】【課題】ドア破断予定部の破断に伴い、このドア破断予定部を跨いで装着されている貼着シール材を容易に破断させるようにする。【解決手段】機能性部材４０をドアパネル２２,２４の外面に配設するため、ドア破断予定部３０を跨いだ状態でこれらドアパネル２２,２４の外面に装着される貼着シール材４６に、ドア破断予定部３０に沿って所要長のシール切込み部５２を設ける。このシール切込み部５２は、ドア破断予定部３０の破断が最初に始まる部位およびその近傍に設けられている。これにより、ドア破断予定部３０の破断に伴う貼着シール材４６の破断を、シール切込み部５２の存在により容易化させ得る。【選択図】図１
2006062421.tif 000002
【特許請求の範囲】
【請求項１】
車両内装部材を構成する基材(12)に設けられ、ドア破断予定部(30)で相互に分離するドアパネル(22,24)と、貼着シール材(46)を介し前記ドア破断予定部(30)を跨いだ状態で隣接する前記ドアパネル(22,24)の外面に装着される機能性部材(40)と、これらドアパネル(22,24)および機能性部材(40)の外側に存在する発泡体(14)とからなり、エアバッグ装置(60)の作動による前記ドア破断予定部(30)の破断に伴い前記貼着シール材(46)および機能性部材(40)を破断させ、開放後のドアパネル(22,24)の端縁部に該機能性部材(40)を露出させるようにしたエアバッグドアにおいて、
前記貼着シール材(46)に、前記ドア破断予定部(30)に沿って所要長のシール切込み部(52)を設けた
ことを特徴とするエアバッグドア。
【請求項２】
前記シール切込み部(52)は、前記ドア破断予定部(30)の破断が最初に始まる部位およびその近傍に設けられている請求項１記載のエアバッグドア。
【請求項３】
前記機能性部材(40)に、前記シール切込み部(52)に沿って所要長の部材切込み部(54)を設けた請求項１または２記載のエアバッグドア。
【請求項４】
前記シール切込み部(52)または前記部材切込み部(54)は、前記ドアパネル(22,24)の裏側から前記ドア破断予定部(30)に沿って突入させた適宜の切込み手段(56)により、該ドア破断予定部(30)に沿って形成される請求項１〜３の何れかに記載のエアバッグドア。
【請求項５】
前記機能性部材(40)は、適宜の弾力性を有する多孔質部材である請求項１〜４の何れかに記載のエアバッグドア。
【発明の詳細な説明】
【技術分野】
【０００１】
本発明は、エアバッグドアに関し、更に詳細には、車両内装部材を構成する基材に設けられ、ドア破断予定部で相互に分離するドアパネルと、貼着シール材を介しドア破断予定部を跨いだ状態で隣接するドアパネルの外面に装着される機能性部材と、これらドアパネルおよび機能性部材の外側に存在する発泡体とからなり、エアバッグ装置の作動によるドア破断予定部の破断に伴い貼着シール材および機能性部材を破断させ、開放後のドアパネルの端縁部に該機能性部材を露出させるようにしたエアバッグドアに関するものである。
【背景技術】
【０００２】
近年生産される殆どの乗用車には、対向車との衝突事故の発生時における乗員保護を図る装置の一つとして、運転席用のエアバッグ装置および助手席用のエアバッグ装置が標準的に装備されている。例えば図７および図８に例示するように、助手席用のエアバッグ装置６０は、乗員室内の前方に組付けた車両内装部材であるインストルメントパネル１０の内側に、乗員席から見えないよう格納した状態で搭載されている。このため、インストルメントパネル１０を構成する合成樹脂製の基材１２には、エアバッグ装置６０のインフレータケース６２に対応する位置に、このエアバッグ装置６０の作動時に外方へ開放するエアバッグドアＡＤが設けられている。
【０００３】
前述したエアバッグドアＡＤは、(ａ)基材１２に一体的に形成されて常には該基材１２の一部として構成されるタイプ(基材一体タイプ)と、(ｂ)基材１２と別体に形成されて該基材１２に組付けられるタイプ(基材別体タイプ)とに大別され、図７に例示のエアバッグドアＡＤは前述した(ｂ)のタイプである。このような基材別体タイプのエアバッグドアＡＤは、例えばオレフィン系の熱可塑性エラストマ(ＴＰＯ)等の柔軟性に富んだ樹脂素材からなるドア成形部材２０に形成され、基材１２に開設した開口設置部１８に対してドア成形部材２０を組付けることで、基材１２の一部として構成されるようになっている。ここで図示例示のエアバッグドアＡＤは、ドア成形部材２０に両Ｙ字形のドア破断予定部３０を延設することで４枚のドアパネル２２,２４,２６,２８に分割される四方開きタイプであって、エアバッグ６４の押圧力を受けた各ドアパネル２２,２４,２６,２８は、これらドアパネル２２,２４,２６,２８の境界ラインに沿設した前述のドア破断予定部３０の破断により相互に分離した後に、一側端縁に沿って設けた各々のヒンジ部３２を中心として開放するようになっている。なおドア成形部材２０の背面側には、各ドアパネル２２,２４,２６,２８を囲繞する矩形状の筒体部３４が一体的に形成されており、ドア成形部材２０はこの筒体部３４を介してエアバッグ装置６０のインフレータケース６２に連結支持されている。
【０００４】
また前述したインストルメントパネル１０は、質感および触感等の向上を図るために、その全体または上半分程度の部位等が、所要形状にインジェクション成形された前述の基材１２と、この基材１２の外面における所要領域に形成された所要厚の発泡体１４と、この発泡体１４の外面に被着されて該発泡体１４を被覆する表皮材１６とから構成された３層構造となっているものがある。このような３層構造をなす部位にエアバッグドアＡＤが設けられる場合は、図８に例示したように、基材１２からドア成形部材２０の外面に亘って所要厚の発泡体１４が存在するようになり、インストルメントパネル１０の外側からは開放前のエアバッグドアＡＤの存在が認識されないようになっている。なお、このようなインビジブルタイプのエアバッグドアは、例えば特許文献１に開示されている。
【０００５】
ここで、３層構造をなすインストルメントパネル１０に設けたエアバッグドアＡＤでは、エアバッグ装置６０の作動により膨張するエアバッグ６４の押圧力が各ドアパネル２２,２４,２６,２８に加わった際に、ドア破断予定部３０の破断に伴って発泡体１４および表皮材１６が夫々破断することで、各ドアパネル２２,２４,２６,２８の開放が許容される。従って、開放する各ドアパネル２２,２４,２６,２８の端縁部には、前述した発泡体１４の破断面が所要厚に露出するようになり、殊に乗員席側へ開放するドアパネル２２は同じく乗員席側へ膨張展開するエアバッグ６４の下側に位置するため、場合によっては該エアバッグ６４がドアパネル２２の端縁部に接触して発泡体１４の一部が破片となって乗員席側へ分離・飛散する虞がある。
【０００６】
そこで、前述した発泡体１４の破片の飛散を防止するため、図９に例示するように、少なくとも乗員席側へ開放するドアパネル２２の外面に別途予備成形した機能性部材４０を貼着シール材４６を介して装着し、開放する該ドアパネル２２の端縁部に該機能性部材４０を臨ませるようにすることで、エアバッグ６４が発泡体１４と接触しても該発泡体４０が飛散するのを防止する対策が採られている。ここで機能性部材４０は、例えばウレタン原料を発泡成形して得られた原反から図示の所要形状に切り出されたウレタンフォーム等の多孔質部材等であって、成形された発泡体１４と同等程度の弾力性を有しているが、エアバッグ６４が接触しても破片が分離・飛散しないものである。
【特許文献１】特開平１１−１９８７５１号公報
【発明の開示】
【発明が解決しようとする課題】
【０００７】
ところで前述した機能性部材４０は、その側端面４２がドア破断予定部３０に正確に一致する状態でドアパネル２２の外面に装着するのが望ましい。すなわち図８において、機能性部材４０の側端面４２がドア破断予定部３０よりも右側に位置した状態で該機能性部材４０をドアパネル２２に装着した場合、開放したドアパネル２２の端縁部には機能性部材４０が露出せずに発泡体１４が露出することとなり、該機能性部材４０を装着した意味が全くなくなってしまうからである。しかしながら、側端面４２をドア破断予定部３０に正確に一致させた状態で機能性部材４０をドアパネル２２へ装着することは熟練した作業員であってもかなり困難であるため、実際には図８に例示したように、ドア破断予定部３０を跨いだ状態でドアパネル２２とこれに隣接するドアパネル２４との外面に貼着シール材４６を利用して機能性部材４０を装着することで、開放するドアパネル２２の端縁部に機能性部材４０を確実に臨ませるようにする方法が採られている。
【０００８】
ここで、前述したように両ドアパネル２２,２４の外面に機能性部材４０を装着した場合では、各ドアパネル２２,２４,２６,２８の開放に際し、前述した貼着シール材４６および機能性部材４０がドア破断予定部３０に沿って破断する必要がある。しかしながら貼着シール材４６は、一般的に市販されている両面テープ等で構成されているため、エアバッグ６４の押圧力が作用しても破断し難くてドア破断予定部３０を破断させる抵抗となっていた。
【０００９】
従って本発明は、少なくともドア破断予定部を跨いで装着されている貼着シール材に、該ドア破断予定部に沿ってシール切込み部を設けておくことで、ドア破断予定部の破断に伴う該貼着シール材の破断を容易化するよう構成したエアバッグドアを提供することを目的とする。
【課題を解決するための手段】
【００１０】
前記課題を解決し、所期の目的を達成するため本発明は、
車両内装部材を構成する基材に設けられ、ドア破断予定部で相互に分離するドアパネルと、貼着シール材を介し前記ドア破断予定部を跨いだ状態で隣接する前記ドアパネルの外面に装着される機能性部材と、これらドアパネルおよび機能性部材の外側に存在する発泡体とからなり、エアバッグ装置の作動による前記ドア破断予定部の破断に伴い前記貼着シール材および機能性部材を破断させ、開放後のドアパネルの端縁部に該機能性部材を露出させるようにしたエアバッグドアにおいて、
前記貼着シール材に、前記ドア破断予定部に沿って所要長のシール切込み部を設けたことを特徴とする。
これにより、前記ドア破断予定部の破断に伴う前記貼着シール材の破断を、前記シール切込み部の存在により容易化することを可能とする。
【発明の効果】
【００１１】
本発明に係るエアバッグドアによれば、少なくともドアパネルに機能性部材を装着する貼着シール材に、ドア破断予定部に沿った所要長のシール切込み部を設けたことにより、ドア破断予定部の破断に伴う貼着シール材の破断が該シール切込み部の存在により容易化され、各ドアパネルが適切に開放するようになる有益な効果を奏する。また、機能性部材にも所要長の部材切込み部を設けるようにすれば、ドア破断予定部の破断に伴う機能性部材の破断も容易化される利点等がある。
【発明を実施するための最良の形態】
【００１２】
次に、本発明に係るエアバッグドアにつき、好適な実施例を挙げて、添付図面を参照しながら以下説明する。
【００１３】
本発明に係るエアバッグドアは、基材、発泡体および表皮材からなる３層構造の種々車両内装部材に設けられ、１枚のドアパネルからなる片開きタイプ、２枚のドアパネルからなる両開きタイプ、４枚のドアパネルからなる四方開きタイプ、等として実施可能である。そこで後述する実施例では、車両内装部材として３層構造をなすインストルメントパネルを例示し、このインストルメントパネルに対して４枚のドアパネルからなる四方開きタイプのエアバッグドアを設けた場合につき説明する。従って、図７〜図９を引用して説明した従来技術の項における既出の部材・部位と同一の部材・部位については、同一の符号を付して説明する。
【実施例】
【００１４】
図１は、好適実施例に係るエアバッグドアを配設したインストルメントパネルを、該エアバッグドアの配設部位で一部破断して示した部分平面図であり、図２は、図１のII−II線断面図である。本実施例のエアバッグドアＡＤは、車両内装部材であるインストルメントパネル１０を構成する基材１２に設けられ、相互の境界ラインに沿って延設したドア破断予定部３０で相互に分離するドアパネル２２,２４,２６,２８と、貼着シール材４６を介しドア破断予定部３０を跨いだ状態で隣接するドアパネル２２,２４の外面に装着される機能性部材４０と、これらドアパネル２２,２４,２６,２８および機能性部材４０の外側に存在する発泡体１４とからなる。そして、エアバッグ装置６０の作動によるドア破断予定部３０の破断に伴い貼着シール材４６および機能性部材４０を該ドア破断予定部３０に沿って破断させ、開放後のドアパネル２２の端縁部に該機能性部材４０を露出させるようにしたものである。
【００１５】
基材１２は、ポリエチレン(ＰＥ)やポリプロピレン(ＰＰ)等に適宜強化剤を添付したオレフィン系樹脂素材を、インジェクション成形技術に基づいて成形した大型の合成樹脂成形部材である。そして、基材１２の外部表面における上面から乗員席側に至る上半分の領域が、発泡体１４および基材１２が配設される３層構造部分となっている。この３層構造部分において、エアバッグ装置６０のインフレータケース６２に対応する部位には、エアバッグドアＡＤを形成したドア成形部材２０を組付けるための開口設置部１８が略矩形状に開設されている。
【００１６】
エアバッグドアＡＤは、ドア成形部材２０に延設した両Ｙ字形のドア破断予定部３０が破断することで分割される４枚のドアパネル２２,２４,２６,２８から構成され、乗員席側およびフロントウィンドウ側へ開放するドアパネル２２,２４は略台形状を呈し、左右方向へ開放するドアパネル２６,２８は略三角形状を呈している。ドア破断予定部３０は、各ドアパネル２２,２４,２６,２８の境界ラインに沿って横断面Ｖ字状の溝を延設した結果としてこれらの厚みよりも薄くなった薄肉脆弱部位であり、エアバッグ装置６０の作動により膨張を開始したエアバッグ６４の押圧力がこれらドアパネル２２,２４,２６,２８の裏面に加わった際には、これによる応力が集中的に付与されることで破断が惹起される。なおドア破断予定部３０は、ドアパネル２２,２４の境界ラインに沿って延在する中央破断予定部３０Ａと、この中央破断予定部３０Ａの両端に延在する側方破断予定部３０Ｂ,３０Ｂとからなっている。
【００１７】
各ドアパネル２２,２４,２６,２８には、その一側端縁、すなわちドア破断予定部３０に臨んでいない残りの一側端縁に沿ってヒンジ部３２が形成されている。このヒンジ部３２は、ドアパネル２２,２４,２６,２８の厚みの１／２程度の厚みに設定した所要幅の薄肉帯状部分であって、エアバッグ６４の押圧力が加わっても破断しないと共に、膨張するエアバッグ６４に押されてドアパネル２２,２４,２６,２８が押上げられる際に撓曲的または屈曲的に変形して、開放変位する該ドアパネル２２,２４,２６,２８を筒体部３４へ連結させながら支持するようになっている。
【００１８】
機能性部材４０は、基本的には図９に例示した従来のものと同一であって、乗員席側へ開放するドアパネル２２の約３／４の領域およびフロントウィンドウ側へ開放するドアパネル２４の開放端側に所要幅領域に対応する台形板状を呈しており、厚みは発泡体１４の厚みと同等ないし若干小さい３〜８ｍｍ程度に設定されている。このような機能性部材４０は、例えば(ａ)大型の原反から当該台形形状に切り出されたウレタンフォーム、(ｂ)図示しない発泡成形型により当該台形板状に発泡成形されたウレタンフォーム等、適宜の弾力性を有する多孔質部材である。なお、ドア破断予定部３０を跨いだ状態で装着する際のドアパネル２４に対するオーバーラップ量(幅寸法Ｓ)は、少なくとも１ｍｍ以上で、好ましくは１０ｍｍ程度に設定される。
【００１９】
貼着シール材４６は、基本的には図９に例示した従来のものと同一であって、例えば一般的に市販されている公知の両面テープ等であって、前述した機能性部材４０と同一の形状・サイズに裁断されたものである。このような貼着シール材４６は、その表側貼着面４８を前述した機能性部材４０の裏面に貼着して該機能性部材４０に貼着した後、その裏側貼着面５０をドアパネル２２,２４の外面へ貼着することで、ドア破断予定部３０の中央破断予定部３０Ａを跨いだ状態で機能性部材４０をドアパネル２２,２４に装着させるようになる。
【００２０】
表皮材１６は、厚みが１ｍｍ程度の柔軟性に富んだ薄肉シート状材であって、インストルメントパネル１０の外面に露出する表面(意匠面)には、シボ模様や幾何学模様等が再現されている。このような表皮材１６は、(１)樹脂シート材から真空成形技術に基づいて予備成形されたもの、(２)樹脂粉末からパウダースラッシュ成形技術に基づいて予備成形されたもの、(３)ウレタン原料からスプレー成形技術に基づいて予備成形されたもの、(４)ウレタン原料から反応射出成形(ＲＩＭ)技術に基づいて成形されたもの、等が選択的に実施可能である。なお、エアバッグドアＡＤの配設部位を被覆する部分の裏面には、ドア破断予定部３０と同一の両Ｙ字形に延在する表皮破断予定部３６が形成されている。
【００２１】
発泡体１４は、密度が０.１５〜０.２５ｇ／ｃｍ３程度の比較的高い反発特性を有する高密度ウレタンフォームから形成されている。このような発泡体１４は、ドアパネル２２,２４の外面に機能性部材４０を装着したドア成形部材２０を組付けた基材１２および予備成形した前述の表皮材１６を、図示しない発泡成形型の型内にセットして、これら基材１２および表皮材１６の間でウレタン原料を発泡させることで両者間に発泡・介在させたものである。従って、ドアパネル２２,２４の外面に装着した機能性部材４０は、発泡成形された発泡体１４に埋設された状態となっており、この機能性部材４０に対応した部分では発泡体１４が該機能性部材４０に含浸している。
【００２２】
但し、機能性部材４０が発泡体１４と同等程度の弾力性を具有しているため、この機能性部材４０が位置する部位およびそれ以外の部位は、表皮材１６の外側から指先等で押圧しても同等の触感が得られるようになっている。なお実施例では、機能性部材４０の厚みを発泡体１４の厚みより若干小さく設定してある場合、機能性部材４０と表皮材１６との間には発泡体１４が薄く存在するため、この発泡体１４が両者の接着剤として機能するようになる。
【００２３】
そして本実施例のエアバッグドアＡＤでは、図１〜図３に例示したように、前述した貼着シール材４６にドア破断予定部３０に沿って所要長のシール切込み部５２を設けると共に、この貼着シール材４６によりドアパネル２２,２４に装着された前述の機能性部材４０に、該シール切込み部５２に沿って所要長の部材切込み部５４を設けた構造となっている。これにより、エアバッグ装置６０の作動により膨張を開始したエアバッグ６４の押圧力が各ドアパネル２２,２４,２６,２８に加わることでドア破断予定部３０が破断するに際し、該ドア破断予定部３０の破断に伴う貼着シール材４６の破断を前述したシール切込み部５２の存在により容易化すると共に、機能性部材４０の破断を前述した部材切込み部５４の存在により容易化したことを特徴としている。
【００２４】
前述したシール切込み部５２および部材切込み部５４は、エアバッグ６４の押圧力によるドア破断予定部３０の破断が最初に始まる部位およびその近傍部位、すなわち該ドア破断予定部３０における中央破断予定部３０Ａの中間部位に沿って、所要長(例えば５０〜１００ｍｍ程度)に形成されている。すなわち貼着シール材４６においては、エアバッグ６４の押圧力が加わってドアパネル２２,２４が上方へ変位することで、シール切込み部５２の両端に応力が集中するようになるため、このシール切込み部５２の両端からドア破断予定部３０に沿って破断が一気に進行するようになる。また機能性部材４０においては、エアバッグ６４の押圧力が加わってドアパネル２２,２４が上方へ変位することで、部材切込み部５４の両端に応力が集中するようになるため、この部材切込み部５４の両端からドア破断予定部３０に沿って破断が一気に進行するようになる。
【００２５】
なお、シール切込み部５２および部材切込み部５４は、ドア破断予定部３０に跨っている部位の全体に連続的に形成するようにしてもよい。また、ドア破断予定部３０に沿って、ミシン目状(断続的)に形成するようにしてもよい。
【００２６】
前述したシール切込み部５２および部材切込み部５４は、図５に例示するように、ドア成形部材２０の裏側からドア破断予定部３０に沿って適宜の切込み手段５６を突入することにより、該ドア破断予定部３０に沿って形成される。これにより、シール切込み部５２および部材切込み部５４が、ドア破断予定部３０に正確に一致した状態で成形され得る。ここで切込み手段５６としては、公知の超音波カッターまたは熱刃カッター等が好適に実施可能であり、スリット状やミシン目状等の様々な形態に形成し得る。
【００２７】
そして図４に例示するように、切込み手段５６による裏側からの切込み量Ｄは、ドア破断予定部３０の最深部から貼着シール材４６の表側貼着面４８までの距離をＨ１、該ドア破断予定部３０の最深部から機能性部材４０の上面までの距離をＨ２とした場合、Ｈ１＜Ｄ＜Ｈ２となるように調節すれば、シール切込み部５２および部材切込み部５４が同時に形成される。
【００２８】
このように構成された本実施例のエアバッグドアＡＤは、エアバッグ装置６０の作動により膨張を開始したエアバッグ６４の押圧力を受けて各ドアパネル２２,２４,２６,２８が上昇すると、先ずドア破断予定部３０における中央破断予定部３０Ａに応力が集中するようになり、この中央破断予定部３０Ａから破断が始まるようになる。これにより、貼着シール材４６および機能性部材４０では、ドア破断予定部３０の中央破断予定部３０Ａの破断に伴い、シール切込み部５２および部材切込み部５４の夫々の両端部位から両方向へ破断が略同時に進行するようになる。
【００２９】
そして、中央破断予定部３０Ａから側方破断予定部３０Ｂ,３０Ｂへ破断が進行してドア破断予定部３０が両Ｙ字形に破断するのに追従して、貼着シール材４６および機能性部材４０の両方も両Ｙ字形に破断するようになり、図６に例示するように、各ドアパネル２２,２４,２６,２８の開放変位が許容されるようになる。ここで、乗員席側へ開放するドアパネル２２の端縁部およびフロントウィンドウ側へ開放するドアパネル２４の端縁部には、機能性部材４０が露出して発泡体１４が殆ど露出しないようなるため、万一、膨張途中のエアバッグ６４がこれらドアパネル２２,２４の端縁部に接触したとしても、発泡体１４が飛散することを好適に防止し得る。
【００３０】
このように本実施例のエアバッグドアＡＤでは、貼着シール材４６にドア破断予定部３０に沿った所要長のシール切込み部５２を設けると共に、この貼着シール材４６によりドアパネル２２,２４に装着された機能性部材４０に、該シール切込み部５２に沿った所要長の部材切込み部５４を設けたことにより、ドア破断予定部３０の破断に伴う貼着シール材４６の破断および機能性部材４０の破断を、シール切込み部５２の存在および部材切込み部５４の存在により容易化した。従って、エアバッグ装置６０の作動時に各ドアパネル２２,２４,２６,２８が適時に適切に開放するようになり、エアバッグ６４の膨張展開が適切になされる。また、インストルメントパネル１０の成形後に、切込み手段５６によりシール切込み部５２および部材切込み部５４を成形するので、これらシール切込み部５２および部材切込み部５４をドア破断予定部３０に一致させ得る。
【００３１】
なお、前述した機能性部材４０がウレタンフォームから形成されている場合、外力による引裂き力が加わった際に比較的簡易に破断するようになるため、この機能性部材４０に対する部材切込み部５４の形成を省力することも可能である。すなわち、少なくとも前述の貼着シール材４６にだけ、ドア破断予定部３０に沿った所要長のシール切込み部５２を設けるようにすれば、ドア破断予定部３０の破断に伴う貼着シール材４６の破断をシール切込み部５２の存在により容易化できるので、エアバッグドアＡＤの適切な開放が実現可能となる。なお、前述した切込み手段５６によりシール切込み部５２のみを形成する場合は、該切込み手段５６の切込み量Ｄを距離Ｈ１と同一となるように調節すればよい。
【００３２】
前述した実施例では、ドアパネル２２およびドアパネル２４の外面に機能性部材４０を装着する形態を例示したが、この機能性部材４０および貼着シール材４６を更に大型化して、ドアパネル２６およびドアパネル２８にも部分的にかかるよう装着する場合もあり得る。この場合には、これら貼着シール材４６および機能性部材４０が、ドア破断予定部３０における側方破断予定部３０Ｂを跨いだ状態で装着されるため、更に側方破断予定部３０Ｂに沿って所要長のシール切込み部を貼着シール材４６に追加して設けると共に、該シール切込み部５２に沿って所要長の部材切込み部を機能性部材４０に追加して設けるようにしてもよい。
【００３３】
本発明に係るエアバッグドアは、前述した４枚のドアパネル２２,２４,２６,２８から構成される四方開きタイプのエアバッグドアＡＤに限定されるものではなく、２枚のドアパネルからなる両開きタイプや、１枚のドアパネルからなる片開きタイプにも好適に実施可能である。
【００３４】
また本発明に係るエアバッグドアは、インストルメントパネルに設けたものに限定されるものではなく、これ以外にドアパネル等に設けたサイドエアバッグ装置に付帯されるエアバッグドアや、ピラーガーニッシュおよびルーフサイドパネル(ルーフパネル)等に設けたカーテンエアバッグ装置に付帯されるエアバッグドア等も対象とされる。
【産業上の利用可能性】
【００３５】
本発明に係るエアバッグドアは、車両内装部材を構成する基材に設けられ、ドア破断予定部で相互に分離するドアパネルと、貼着シール材を介しドア破断予定部を跨いだ状態で隣接するドアパネルの外面に装着される機能性部材と、これらドアパネルおよび機能性部材の外側に存在する発泡体とからなり、エアバッグ装置の作動によるドア破断予定部の破断に伴い貼着シール材および機能性部材を破断させ、開放後のドアパネルの端縁部に該機能性部材を露出させるようにしたエアバッグドアであって、エアバッグ装置を搭載した種々自動車等に好適に実施可能である。
【図面の簡単な説明】
【００３６】
【図１】好適実施例に係るエアバッグドアを配設したインストルメントパネルを、該エアバッグドアの配設部位で一部破断して示した部分平面図である。
【図２】図１のII−II線断面図である。
【図３】エアバッグドアを形成したドア成形部材を示した概略斜視図であって、ドア破断予定部の裏側から形成されたシール切込み部および部材切込み部を示している。
【図４】ドア破断予定部に沿って形成したシール切込み部および部材切込み部を示した説明断面図である。
【図５】ドア破断予定部に沿って切込み手段を突入させることで、シール切込み部および部材切込み部を形成する状態を示した説明断面図である。
【図６】各ドアパネルの開放開始直後の状態を示した説明断面図であって、ドアパネルにエアバッグの押圧力が加わってドア破断予定部が破断することにより、貼着シール材および機能性部材が該ドア破断予定部に沿って容易に破断することを示している。
【図７】エアバッグドアを設けた部位を一部破断して示したインストルメントパネルの部分斜視図である。
【図８】図７のVIII−VIII線断面図である。
【図９】ドアパネルの外面に、貼着シール材を介して機能性部材を装着する状態を示した斜視図である。
【符号の説明】
【００３７】
１２  基材
１４  発泡体
２２,２４  ドアパネル
３０  ドア破断予定部
４０  機能性部材
４６  貼着シール材
５２  シール切込み部
５４  部材切込み部
５６  切込み手段
６０  エアバッグ装置
【図１】
2006062421.tif 000003
【図２】
2006062421.tif 000004
【図３】
2006062421.tif 000005
【図４】
2006062421.tif 000006
【図５】
2006062421.tif 000007
【図６】
2006062421.tif 000008
【図７】
2006062421.tif 000009
【図８】
2006062421.tif 000010
【図９】
2006062421.tif 000011